(57)【要約】【課題】ハンガーの形が固定されているため子供用服・首の細いセータ等が掛けづらい点を解消するとともに、背の低い人も竿に掛けやすいように高さを調整できるハンガー、また、風による落下・移動を無くすとともにハンガーの収納を容易にすることを提供する。【解決の手段】収納部2aを紐2bで竿に固定しておき、連結軸４を介して変形ハンガー３を吊り下げることにより変形ハンガー３は竿に固定される、また、連結軸４は約２0cmの長さがあり変形ハンガー３の高さ位置を調整することができるとともに、肩掛アーム3aの動きを止木3cの上げ下げにより、衣類を掛ける時、上側に、外す時は下に閉じることができる、使用後は肩掛アーム3aを上に折り畳んで収納部2aに押し込むと全体が収納部2aに収まり固定されるように構成されている、また、独立した三個の部位でできているため、部位の組み合わせを変えて使用することもできる。【選択図】  図１
2016104087.tif 000002
【特許請求の範囲】
【請求項１】
竿に変形ハンガーを収納するための収納装置を固定しておき、衣類を掛ける折り畳み自在の変形ハンガーを収納装置から吊り下げるための連結軸を介して収納装置から吊り下げる構造で、それぞれが独立した三個の部位で構成されていることを特徴とする固定収納装置付変形ハンガー。
【請求項２】
請求項１の収納装置は変形ハンガーを収納する収納部と収納部を竿に固定する紐で構成されており、収納部は変形ハンガーを収納したとき全体をカバーできる箱状の形状をしており、紐を通すための上部が狭くなった溝、紐固定溝と変形ハンガーを収納した時に固定するための凹溝・連結軸を吊り下げるための調整軸掛けを有する構造で、紐固定溝2cに紐2bを通して竿1に巻き付けて固定することにより形成され、紐で固定することにより竿の形状にかかわらず簡単に取り付けができ、収納部もハンガー全体をカバーするため汚れない特徴を有する。
【請求項３】
請求項１の変形ハンガーは２個の肩掛アームとアーム軸・２個の止木で構成されており、肩掛アームの一端はアーム軸を通す穴、アーム軸穴が有り、その淵には止木がはいる溝、止木溝を有し、アーム軸には止木を入れる穴、止木穴を有する構造で、二個の肩掛アームを、それぞれアーム軸穴を中心に向い合せに組み合わせ、アーム軸をアーム軸穴に差し込んだ後、二個の止木を止木穴に両方向から差し込むことにより形成され、左右の肩掛アーム3a・止木3cは固定されていないため、自重で常に下方向に落ち、止木3cが止木溝3eに落ちている時、肩掛アーム3aは図４・５の位置で止まり止木溝3eの幅内で上下方向に動き、上げると図６の位置で止まり止木溝3eの幅外で上下方向に動く特徴を有している。
【請求項４】
請求項１の連結軸は約２０cmの長さが有り、調整軸とストッパー・ストッパー止・変形ハンガーを固定するための固定蓋で構成されており、調整軸には上部にフックと下部にフック穴・途中に変形ハンガーの高さ位置を決めるためのストッパーを入れる溝、ストッパー溝を有する構造で、ストッパーはストッパーを固定するためのストッパー止に二個揃えて入れた後、ストッパー溝に差し込み固定することにより形成される、ストッパーは重心を外側に持たせており、ストッパー止の中で常に外側に傾く構造で、ハンガーの高さ調整ができ、上下にフック・フック穴を有していることにより何段にも繋げることができる特徴を有している。
【請求項５】
アーム軸の調整軸穴に調整軸を上から差し込むみ、固定蓋を調整軸の下に差し込で、連結軸の上部フックを収納部の調整軸掛けに掛けることにより、固定収納装置と変形ハンガーは連結軸を介して一体となり、変形ハンガーは竿に固定されることになり、変形ハンガーは風による吹き寄せ・落下が無くなり、調整軸に沿って持ち上げると調整軸にあるスットパーを押し込めて、更に上に持ち上げるとスットパーは自重で外側に開き変形ハンガーは落ちなくなる特徴を有している固定収納装置付変形ハンガー。
【請求項６】
使用後は変形ハンガーの左右の肩掛アームを上に折りたたんで、上方向に回転させて、収納装置の収納部に押し込むことにより、収納部の凹溝に変形ハンガーの凸部がはまり固定されることにより、ハンガーの収納場所・取り込みの手間が無くなる特徴を有している固定収納装置付変形ハンガー。
【発明の詳細な説明】
【技術分野】
【０００１】
本発明は、衣類等の収納及び物干し用ハンガーに係る折り畳みハンガーに関するもので、例えばタートルネック等のように首部が細くなっている衣類、及び、幼児用の小さい衣類を掛ける時に、布地を無理に伸ばさず、容易に掛けられ、更には、竿に掛けたハンガーの風による吹き寄せ、落下をなくし、使用後の収納をも容易にする折り畳みハンガーに関するもある。
【背景技術】
【０００２】
従来、この種に関する折り畳みハンガーは多くあるが、共通して言えることは、図８のように、上部に竿に掛けるフック１が有り、上側又は下側の一方のみに開閉するアーム２・３で構成されている。
【０００３】
このような折り畳みハンガーは一方向のみ開閉するため、上側又は下側の一方に閉じたアーム２・３に衣類を被せた後、アーム２・３を手で開いて装着するものである。
【先行技術文献】
【特許文献】
【０００４】
【特許文献１】特開2003-144297号広報
【発明の概要】
【発明が解決しようとする課題】
【０００５】
この例が示すように、子供用の服、頭から被るセータ等の衣類を掛ける時、アーム２・３を閉じておき、閉じたアーム２・３に衣類を被せてアーム２・３を開くことになるが、衣類を下から被せる時、また、アーム２・３を開く時にハンガー自体が持ち上がり竿からはずれてしまう欠点を有している。
【０００６】
上記以外にも、ハンガー全体の問題として、掛ける竿の高さ位置が固定されており、使用する人の背丈が考慮されていない。
【０００７】
風による落下、及び、吹き寄せられて密着状態になり、乾燥時間が長くかかるという欠点を有している。
【０００８】
使用後は竿から取り外して保管場所に移動しなければならず、そのために前もって保管場所を確保しておく必要がある。
【０００９】
竿に直接ハンガーを掛けていることにより、竿の長さにより干す量が限られる欠点を有している。
【課題を解決するための手段】
【００１０】
前記の課題を解決する具体的手段として本発明は、竿に変形ハンガーを収納するための収納装置を固定しておき、衣類を掛ける折り畳み自在の変形ハンガーを収納装置から吊り下げるための連結軸を介して収納装置から吊り下げる構造で、それぞれが独立した三個の部位で構成されていることを特徴とする固定収納装置付変形ハンガーを提供するものである。
【００１１】
前記、収納装置は変形ハンガーを収納する収納部と収納部を竿に固定する紐で構成されており、収納部には上部が狭くなった溝、紐固定溝と左右側面に変形ハンガーを固定するための凹溝を有する構造である。
【００１２】
前記、連結軸は約２０cmの長さを有する調整軸とストッパー・ストッパー止・調整軸を固定するための固定蓋で構成されており、調整軸には上部にフック・下部にフック穴・ストッパーを入れるストッパー溝を有する構造である。
【００１３】
前記、変形ハンガーは同形状の２個の肩掛アームとアーム軸・２個の止木で構成されており、肩掛アームの一端はアーム軸を通す穴、アーム軸穴・その淵には止木が入る溝、止木溝を有し、アーム軸には止木を通す穴、止木穴を有する構造である。
【発明の効果】
【００１４】
本発明に係る固定収納装置付変形ハンガーは、竿に固定された収納装置に連結軸を介して変形ハンガーを吊り下げる構造で、三つの部位は独立しており、単独でも使用することが可能ある。
【００１５】
前記、収納装置は収納部と紐で構成されており、収納部にある紐固定溝に紐を通して竿に巻き付けて固定する、紐で取り付けることにより、取り付けが簡単で、竿の太さに関係なく取り付けることができる、また、紐固定溝は上部が狭くなっていることにより、紐の一部が切れても急に落下することはない。
【００１６】
竿に固定された収納装置より連結軸を介して吊り下がっている変形ハンガーは衣類を持ち上げても竿からは外れず、風による落下・吹き寄せによる密着も防ぐので、乾燥時間が短縮されるという優れた効果を発揮する。
【００１７】
使用後は変形ハンガーを上方向に折り畳んで、回転させて収納部に少し押し込むだけで収納ができるので、使用後に竿より取り外す手間、及び、保管場所へ移動する手間がなくなり、保管場所も不要となる優れた効果を発揮する。
【００１８】
収納装置の収納部は箱状になっており、変形ハンガーを収納した時、全体が入る構造となっているため、収納時に汚れることがなく、使用する時には少し引くだけで使用可能状態になるという優れた効果を発揮する。
【００１９】
連結軸は約２０cmの長さが有り、途中に変形ハンガー止めるストッパーが有ることにより、変形ハンガーの高さを変えることができ、背の低い人でも使用が容易になる優れた効果を発揮する。
【００２０】
変形ハンガーにある、止木は自重で下に落ちる構造になっており、止木溝に落ちている時、肩掛アームは使用位置で止まり、止木溝の幅内で上下に動く、止木を止木溝より持ち上げると衣類を外す位置まで下方向に閉じる。
これにより丸首のセータ・子供の服等を干す時は変形ハンガーの下に衣類を装着して上に持ち上げると、肩掛アームも同時に上に閉じ、外す時は止木を持ち上げるだけで肩掛アームは自重と衣類の重さで下に自動的に閉じて、着脱が容易になる優れた効果を発揮する。
【００２１】
さらに、当連結軸が約２０cmの長さと、上にフック・下にフック穴を有していることと、各部位が独立していることにより、連結軸を繋げることにより変形ハンガーを何段にも吊り下げることができ、干す場所を有効に利用することができる優れた効果を発揮する。
【図面の簡単な説明】
【００２２】
【図１】使用時斜視図。（実施例１）
【図２】部品展開斜視図。
【図３】収納時側面図。
【図４】使用時、衣類を干す位置の側面図。
【図５】使用時、衣類を干す位置の正面図。
【図６】使用時、衣類をはずす時の正面図。
【図７】収納時、折りたたんだ時の正面図。
【図８】従来例に係るハンガーのアームを広げた正面図。、
【発明を実施するための形態】
【００２３】
次に、本発明の実施の形態について図面を参照しながら説明する。図１から図７は全体の図であり、図１は使用時の斜視図・図２は部品展開斜視図・図３は収納時の側面図・図４は使用時の側面図・図５は使用時の正面図・図６は取はずし時の正面図で、それぞれ収納装置２・変形ハンガー３・連結軸４で構成されている。
【００２４】
収納措置２は、収納部2aと紐2bで構成されており、収納部2aには上部が狭くなった溝、紐固定溝2cと左右に窪んだ溝、凹溝2d・連結軸を掛ける調整軸掛け2eを有しており、紐固定溝2cに紐2bを通して竿1に巻き付けて固定する。
【００２５】
変形ハンガー３は同形状の２個の肩掛アーム3aとアーム軸3b・２個の止木3cで構成されており、肩掛アーム3aの一端にはアーム軸3bを入れる穴、アーム軸穴3d・その淵には止木が入る溝、止木溝3e、収納部に固定するための凸部3gを有し、アーム軸3bには止木が入る穴、止木穴3fを有する構造で、二個の肩掛アーム3aを、それぞれアーム軸穴3dを中心に向い合せに組み合わせ、アーム軸穴3dにアーム軸3bを差し込む、後に２個の止木3cを止木穴3fの両方向から差し込むことにより形成される。
左右の肩掛アーム3a・止木3cは固定されていないため、自重で常に下方向に落ち、止木3cが止木溝3eに落ちている時、肩掛アーム3aは図４・５の位置で止まり止木溝3eの幅内で上下方向に動き、持ち上げると図６の位置で止まり止木溝3eの幅外で上下方向に動く。
【００２６】
連結軸4は長さ約２０cmの調整軸4aと二個のストッパー4c・ストッパー止4d・調整軸4aを固定する固定蓋4bで構成されており、調整軸4aの上部にフック4f・下部にはフック穴4g・途中にはストッパー溝4eを有する構造で、ストッパー溝4eには、ストッパー止4dに二個のストッパー4cを上から入れ込みストッパー止4dを差し込む、ストッパーは重心を外側に持たせており、ストッパー止の中で常に外側に傾くように形成されている。
【００２７】
変形ハンガー３の調整軸穴3hに調整軸4aを上から差し込んだ後、固定蓋4bを調整軸4aの下に差し込み抜けないように固定して、フック4fを収納措置２の調整軸掛け2eに掛けることにより、固定収納装置付変形ハンガーは形成される。
変形ハンガー３を調整軸4aに沿って持ち上げると、ストッパー4cを調整軸4aの中に押し込め、更に上げるとストッパー4cは自重で調整軸4aの中より外に出て、変形ハンガー３を放しても落ちなくなる。
【符号の説明】
【００２８】
1        竿
2        固定収納装置
2a  収納部
2b  紐
2c  紐固定溝
2d  凹溝
2e  調整軸掛け
3        変形ハンガー
3a  肩掛アーム
3b  アーム軸
3c  止木
3d  アーム軸穴
3e  止木溝
3f  止木穴
3g  凸部
3h  調整軸穴
4        連結軸
4a  調整軸
4b  固定蓋
4c  スットパー
4d  スットパー止
4e  スットパー溝
4f  フック
4g  フック穴
【図１】
2016104087.tif 000003
【図２】
2016104087.tif 000004
【図３】
2016104087.tif 000005
【図４】
2016104087.tif 000006
【図５】
2016104087.tif 000007
【図６】
2016104087.tif 000008
【図７】
2016104087.tif 000009
【図８】
2016104087.tif 000010